【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、１以上のレンズ群を含む後群を有し、広角端に比べて望遠端において、前記第１レンズ群が物体側へ移動し、前記第２レンズ群が像側へ移動し、前記第３レンズ群が物体側へ移動するズームレンズにおいて、広角端から望遠端へのズーミングにおける前記第１レンズ群と前記第２レンズ群と前記第３レンズ群の移動量をそれぞれＭ１、Ｍ２、Ｍ３、前記第２レンズ群と前記第３レンズ群の焦点距離を各々ｆ２、ｆ３とするとき、
１．４＜（Ｍ２×Ｍ３）／（ｆ２×ｆ３）＜１０．０
１．５＜Ｍ１／Ｍ３＜５．０
なる条件式を満足することを特徴とするズームレンズ。
【請求項２】
望遠端における全系の焦点距離をｆｔとするとき、
−０．１２＜ｆ２／ｆｔ＜−０．０１
なる条件式を満足することを特徴とする請求項１に記載のズームレンズ。
【請求項３】
前記第１レンズ群の焦点距離をｆ１とするとき、
０．０１＜ｆ３／ｆ１＜０．２７
なる条件式を満足することを特徴とする請求項１または２に記載のズームレンズ。
【請求項４】
望遠端における全系の焦点距離をｆｔ、広角端におけるレンズ全長をＴｄｗとするとき
０．０１＜Ｔｄｗ／ｆｔ＜１．００
なる条件式を満足することを特徴とする請求項１乃至３のいずれか１項に記載のズームレンズ。
【請求項５】
−１０．０＜Ｍ１／Ｍ２＜−１．４
なる条件式を満足することを特徴とする請求項１乃至４のいずれか１項に記載のズームレンズ。
【請求項６】
広角端における全系の焦点距離をｆｗ、前記第１レンズ群の焦点距離をｆ１とするとき、
１０．０＜ｆ１／ｆｗ＜５０．０
なる条件式を満足することを特徴とする請求項１乃至５のいずれか１項に記載のズームレンズ。
【請求項７】
望遠端における全系の焦点距離をｆｔとするとき、
０．０１＜ｆ３／ｆｔ＜０．２５
なる条件式を満足することを特徴とする請求項１乃至６のいずれか１項に記載のズームレンズ。
【請求項８】
前記第１レンズ群の焦点距離をｆ１とするとき、
０．３＜（Ｍ１×Ｍ３）／（ｆ１×ｆ３）＜５．０
なる条件式を満足することを特徴とする請求項１乃至７のいずれか１項に記載のズームレンズ。
【請求項９】
広角端と望遠端における前記第２レンズ群の横倍率をそれぞれβ２ｗ、β２ｔとするとき、
５．０＜β２ｔ／β２ｗ＜２５．０
なる条件式を満足することを特徴とする請求項１乃至８のいずれか１項に記載のズームレンズ。
【請求項１０】
前記第１レンズ群の焦点距離をｆ１とするとき、
−１５．０＜ｆ１／ｆ２＜−７．０
なる条件式を満足することを特徴とする請求項１乃至９のいずれか１項に記載のズームレンズ。
【請求項１１】
前記第１レンズ群は、物体側から像側へ順に、負レンズ、正レンズ、正レンズより構成されることを特徴とする請求項１乃至１０のいずれか１項に記載のズームレンズ。
【請求項１２】
前記第３レンズ群は、１枚の負レンズと２枚の正レンズより構成されることを特徴とする請求項１乃至１１のいずれか１項に記載のズームレンズ。
【請求項１３】
前記第３レンズ群を光軸に対して垂直方向の成分を持つように移動させて、前記ズームレンズが振動したときの撮影画像のぶれを補正することを特徴とする請求項１乃至１２のいずれか１項に記載のズームレンズ。
【請求項１４】
前記後群は、物体側より像側へ順に、負の屈折力の第４レンズ群、正の屈折力の第５レンズ群からなり、ズーミングに際して各レンズ群が移動することを特徴とする請求項１乃至１３のいずれか１項に記載のズームレンズ。
【請求項１５】
前記後群は、正の屈折力の第４レンズ群から成り、ズーミングに際して各レンズ群が移動することを特徴とする請求項１乃至１３のいずれか１項に記載のズームレンズ。
【請求項１６】
前記後群は、物体側から像側へ順に、正の屈折力の第４レンズ群、正の屈折力の第５レンズ群から構成され、ズーミングに際して前記第１レンズ群から前記第４レンズ群が移動することを特徴とする請求項１乃至１３のいずれか１項のズームレンズ。
【請求項１７】
前記第３レンズ群の物体側に開口絞りを有し、該開口絞りはズーミングに際して各レンズ群とは異なる軌跡で移動することを特徴とする請求項１乃至１６のいずれか１項に記載のズームレンズ。
【請求項１８】
固体撮像素子に像を形成することを特徴とする請求項１乃至１７のいずれか１項に記載のズームレンズ。
【請求項１９】
請求項１乃至１８のいずれか１項に記載のズームレンズと、該ズームレンズによって形成される像を受光する固体撮像素子とを有することを特徴とする撮像装置。
【手続補正２】
【補正対象書類名】明細書
【補正対象項目名】０００８
【補正方法】変更
【補正の内容】
【０００８】
本発明のズームレンズは、物体側より像側へ順に、正の屈折力の第１レンズ群、負の屈折力の第２レンズ群、正の屈折力の第３レンズ群、１以上のレンズ群を含む後群を有し、広角端に比べて望遠端において、前記第１レンズ群が物体側へ移動し、前記第２レンズ群が像側へ移動し、前記第３レンズ群が物体側へ移動するズームレンズにおいて、広角端から望遠端へのズーミングにおける前記第１レンズ群と前記第２レンズ群と前記第３レンズ群の移動量をそれぞれＭ１、Ｍ２、Ｍ３、前記第２レンズ群と前記第３レンズ群の焦点距離を各々ｆ２、ｆ３とするとき、
１．４＜（Ｍ２×Ｍ３）／（ｆ２×ｆ３）＜１０．０
１．５＜Ｍ１／Ｍ３＜５．０
なる条件式を満足することを特徴としている。 
【手続補正３】
【補正対象書類名】明細書
【補正対象項目名】００１３
【補正方法】変更
【補正の内容】
【００１３】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。図１３は本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。図１５は本発明のズームレンズを備えるカメラ（撮像装置）の要部概略図である。各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。Ｌｒは１以上のレンズ群を含む後群である。
【手続補正４】
【補正対象書類名】明細書
【補正対象項目名】００１６
【補正方法】変更
【補正の内容】
【００１６】
図１、図３、図５、図７、図９の実施例１〜５では広角端から望遠端へのズーミングに際して矢印のように第１レンズ群Ｌ１は像側へ凸状の軌跡を描いて移動している。第２レンズ群Ｌ２は像側へ、凸状で非直線的に移動している。第３レンズ群Ｌ３は物体側へ移動している。第４レンズ群Ｌ４は物体側へ凸状の軌跡を描いて移動している。第５レンズ群は物体側へ凸状の軌跡を描いて移動している。開口絞りＳＰは他のレンズ群と独立に（異なる軌跡で）移動している。フレアーカット絞りＦＰは第３レンズ群Ｌ３と一体的に移動している。また、第５レンズ群Ｌ５を光軸上移動させてフォーカシングを行うリヤーフォーカス式を採用している。望遠端において無限遠物体から近距離物体へフォーカスを行う場合には各レンズ断面図の矢印５ｃに示すように第５レンズ群Ｌ５を前方に繰り出すことによって行っている。第５レンズ群Ｌ５に関する実線の曲線５ａと点線の曲線５ｂは各々無限遠物体と近距離物体にフォーカスしているときの広角端から望遠端へのズーミングに伴う際の像面変動を補正するための移動軌跡を示している。
【手続補正５】
【補正対象書類名】明細書
【補正対象項目名】００２１
【補正方法】変更
【補正の内容】
【００２１】
第１レンズ群Ｌ１の有効レンズ径（前玉有効径）を小型にするためには、第１レンズ群Ｌ１を構成するレンズの数が少ない方が好ましい。そこで第１レンズ群Ｌ１を物体側から像側へ順に、負、正、正レンズの３枚のレンズを含むように構成している。具体的に各実施例においては、正レンズと負レンズの各１枚を接合した接合レンズと、正レンズより第１レンズ群Ｌ１を構成している。これにより高ズーム比を図る際に発生する球面収差と色収差を良好に補正している。第３レンズ群Ｌ３は１枚の負レンズと２枚の正レンズを含むように構成している。具体的に各実施例においては、物体側から像側へ順に、正、負、正レンズにより第３レンズ群Ｌ３を構成している。これにより防振時に発生するコマ収差を良好に補正している。第３レンズ群Ｌ３は１以上の非球面を有している。これによってズーミングに伴う球面収差の変動を良好に補正している。
【手続補正６】
【補正対象書類名】明細書
【補正対象項目名】００４６
【補正方法】変更
【補正の内容】
【００４６】
［数値実施例７］
単位 mm
面データ
面番号       r        d      nd         νd
1        109.870    1.70   1.80610    33.3           
2         47.383    5.30   1.49700    81.5           
3       -431.126    0.20                             
4         48.175    3.30   1.60311    60.6           
5        347.980  (可変)                             
6         89.863    1.00   1.88300    40.8           
7          8.674    5.40                             
8        -41.171    0.70   1.88300    40.8           
9         29.535    0.20                             
10         17.572    2.20   1.94595    18.0           
11        116.349  (可変)                             
12(絞り)    ∞     (可変)                             
13*         9.006    3.00   1.58313    59.4           
14*       -36.040    2.02                             
15         22.063    0.70   1.84666    23.9           
16          8.394    0.70                             
17         83.073    2.00   1.48749    70.2           
18        -27.942    0.30                             
19          ∞     (可変)                             
20         18.534    2.00   1.48749    70.2           
21         36.405  (可変)                             
22         14.990    1.00   1.48749    70.2           
23         21.174    1.77 
24          ∞       1.00   1.51633    64.1           
25          ∞                                
像面        ∞   
非球面データ
第13面
K =-7.74474e-001  A 4=-2.49188e-005  A 6=-1.48696e-007  A 8= 3.86239e-009  
第14面
K = 1.07707e+001  A 4= 7.88392e-005  
各種データ
ズーム比     28.69 
焦点距離       4.39    13.75   125.92     5.74    35.84  
Fナンバー      2.75     3.75     6.00     2.96     4.63  
画角          38.47    15.74     1.76    34.04     6.17  
像高           3.49     3.88     3.88     3.88     3.88  
レンズ全長    92.41    88.92   130.00    87.07   108.44  
BF             3.43     3.43     3.43     3.43     3.43  
d 5            0.70    16.48    55.87     2.94    36.93  
d11           35.30    11.51     1.93    27.50     2.50  
d12            9.92     5.81     1.49     8.23     6.55  
d19            5.84     5.22    32.13     6.70     4.70  
d21            5.50    14.75     3.42     6.55    22.60

ズームレンズ群データ
群  始面    焦点距離  
1    1      78.58  
2    6     -10.17  
3   12       ∞    
4   13      19.10  
5   20      74.71  
6   22      99.99